(57)【特許請求の範囲】
【請求項１】
通電により回転するアーマチュアを収容したモータケースと、前記アーマチュアの回転が伝達され回転可能な減速機構と、前記減速機構に連結され、回転する出力軸と、前記モータケースに結合され、前記出力軸を回転可能に支持するギヤケースと、前記アーマチュアに備えられたコンミュテータに通電可能なブラシを保持し、前記ギヤケースに取付けられたブラシホルダとを備えている小型モータであって、前記ブラシホルダは、ブラシを筒方向に移動可能に収容するブラシボックス部を有し、前記ギヤケースには、前記減速機構を収容する減速機構収容部が形成され、前記減速機構収容部には前記アーマチュアに備えられたアーマチュア軸が収容される筒状のアーマチュア軸収容部と、前記ブラシホルダを前記アーマチュア軸に垂直な方向より装着可能なブラシホルダ装着部とが一体に形成され、該ブラシホルダ装着部は、前記アーマチュア軸収容部内に貫通されるように該アーマチュア軸収容部の一部にそれぞれ一対に形成され、一対の前記ブラシボックス部が一対のブラシホルダ装着部に挿入固定され、前記コンミュテータにブラシを保持したことを特徴とする小型モータ。
【請求項２】
ギヤケースには、外部接続用のコネクタ収容部が減速機構収容部に一体に形成されていることを特徴とする請求項１に記載の小型モータ。
【請求項３】
ブラシホルダ装着部は、モータケースに被らない位置に配置されていることを特徴とする請求項１または２のいずれかに記載の小型モータ。
【発明の詳細な説明】
【０００１】
【発明の属する技術分野】
この発明は、例えば自動車のサンルーフ等の駆動装置の駆動源に用いられる小型モータに関する。
【０００２】
【従来の技術】
この種の小型モータとしては、通電によって回転するアーマチュアがモータケースに収容され、このモータケースに減速機構を収容したギヤケースがねじ止めされ、モータケースの端部に、モータケースとは独立して形成されたホルダベースが配置されているものが知られている。ホルダベースには、アーマチュアに備えられたコンミュテータに電気的に接続可能に押付けられるブラシが設けられている。
【０００３】
【発明が解決しようとする課題】
ところが、上記の小型モータにおいては、ホルダベースがモータケース、ギヤケースとはそれぞれ独立して形成されているため、ホルダベースを別に作成する工程が必要になるとともに、別部品のホルダベースによって部品点数の増大を招くという問題点があった。
【０００４】
【発明の目的】
この発明は、作成に必要な工数の減少が図れるとともに部品点数の削減が図れる小型モータを提供することを目的としている。
【０００５】
【発明の構成】
【０００６】
【課題を解決するための手段】
この発明の請求項１に係る小型モータでは、通電により回転するアーマチュアを収容したモータケースと、前記アーマチュアの回転が伝達され回転可能な減速機構と、前記減速機構に連結され、回転する出力軸と、前記モータケースに結合され、前記出力軸を回転可能に支持するギヤケースと、前記アーマチュアに備えられたコンミュテータに通電可能なブラシを保持し、前記ギヤケースに取付けられたブラシホルダとを備えている小型モータであって、前記ギヤケースには、前記減速機構を収容する減速機構収容部が形成され、前記減速機構収容部には前記アーマチュアに備えられたアーマチュア軸が収容される筒状のアーマチュア軸収容部と、前記ブラシホルダを前記アーマチュア軸に垂直な方向より装着可能なブラシホルダ装着部とが一体に形成され、該ブラシホルダ装着部は、前記アーマチュア軸収容部内に貫通されるように該アーマチュア軸収容部の一部にそれぞれ一対に形成され、該ブラシホルダ装着部は、前記アーマチュア軸収容部内に貫通されるように該アーマチュア軸収容部の一部にそれぞれ一対に形成され、一対の前記ブラシボックス部が一対のブラシホルダ装着部に挿入固定され、前記コンミュテータにブラシを保持したことを特徴としている。
【０００７】
この発明の請求項２に係る小型モータでは、請求項１の構成に加え、ギヤケースには、外部接続用のコネクタ収容部が減速機構収容部に一体に形成されている構成としたことを特徴としている。
【０００８】
この発明の請求項３に係る小型モータでは、請求項１または、２の構成に加え、ブラシホルダ装着部は、モータケースに被らない位置に配置されている構成としたことを特徴としている。
【０００９】
【発明の作用】
この発明に係る小型モータにおいて、ブラシを保持しているブラシホルダはギヤケースに直接取付けられている。それ故、従来のもののようなホルダベースが不要になるから、ホルダベースを別に作成する工程が不要になり、部品点数が増大しない。
【００１０】
【発明の実施の形態】
【００１１】
【実施例】
【００１２】
図１ないし図１７には、この発明に係る小型モータの一実施例が示されている。
【００１３】
図示する小型モータ１は、主として、ギヤケース２、モータケース３、第１，第２のマグネット４，５、アーマチュア６、第１，第２のブラシ７，８、第１，第２のブラシホルダ９，１０、ホイールギヤ１１、出力軸１２から構成されている。アーマチュア６には、アーマチュア軸１３、アーマチュアコア１４、コンミュテータ１５、アーマチュアコイル１６が備えられている。
【００１４】
ギヤケース２には、フランジ部２ａ、アーマチュア軸収容部２ｂ、ブラシホルダ装着部２ｃ、ホイールギヤ収容部２ｄ、コネクタ収容部２ｅが減速機構収容部２ｆに一体に形成されている。フランジ部２ａには、モータケース３の開口側の端部がねじ１７のねじ込みによって固定されている。
【００１５】
アーマチュア軸収容部２ｂは、フランジ部２ａの中央部からギヤケース２の端部に向け筒形に形成されている。図４に示されるように、アーマチュア軸収容部２ｂ内には、アーマチュア６のアーマチュア軸１３が挿入される。アーマチュア軸収容部２ｂ内には、端部に第１の軸受１８が配置され、モータケース側に第２の軸受１９が配置されている。アーマチュア軸収容部２ｂには、アーマチュア軸１３に取付けられたセンサマグネット２２に対応した位置に矩形の孔にされた第１，第２の磁力通過用孔２ｂ１，２ｂ２がそれぞれ形成されている。ブラシホルダ装着部２ｃは、アーマチュア軸収容部２ｂのフランジ２ａ側に配置されている。ブラシホルダ装着部２ｃには、第１，第２のブラシホルダ９，１０が挿入される第１，第２のブラシホルダ挿入孔２ｃ１，２ｃ２がそれぞれ一対に形成されている。第１，第２のブラシホルダ挿入孔２ｃ１，２ｃ２は四角孔形にされてアーマチュア軸収容部２ｂ内に貫通されている。また、ブラシホルダ装着部２ｃには、第１，第２のブラシホルダ９，１０に形成された第１，第２の固定片９ａ，１０ａが嵌め付けられる第１，第２の固定部２ｃ３，２ｃ４がそれぞれ一対に形成されている。第１，第２の固定部２ｃ３，２ｃ４は、図３に示されるように、板部２ｃ５，２ｃ６と、切欠２ｃ７，２ｃ８とからなる。ブラシホルダ装着部２ｃには、第１，第２のブラシホルダ挿入孔２ｃ１，２ｃ２に対応して配置されていてブラシ解除用治具５０に形成された一対の突部５０ａ，５０ｂが挿入される第１，第２の溝２ｃ９，２ｃ１０がそれぞれ形成されている。
【００１６】
ホイールギヤ収容部２ｄは、アーマチュア軸収容部２ｂ内に連通して円筒形に形成されている。このホイールギヤ収容部２ｄには、内部にホイールギヤ１１が収められ，外側にホイールギヤカバー２ｄ１が被されている。ホイールギヤ収容部２ｄの中央部には、図６に示されるように、第３の軸受２０が固定された軸支持部２ｄ２が形成されている。第３の軸受２０には、ホイールギヤ１１の歯車部１１ａの中央部に形成された出力軸１２が回転可能に支持されている。出力軸１２は、サンルーフ等に備えられた駆動装置に連結される。
【００１７】
コネクタ収容部２ｅは、ホイールギヤ収容部２ｄの傍に配置されている。このコネクタ収容部２ｅには、図示しないコネクタが配置される、このコネクタに設けられた端子は、減速機構収容部２ｆ内に収められる図示しない回路基板上の制御回路に電気的に接続されている。減速機構収容部２ｆには、回路基板が収められ、図示しないギヤケースカバーが被される。
【００１８】
モータケース３に備えられたモータケース本体３ａの内側には、第１，第２のマグネット４，５が取付けられている。モータケース本体３ａの閉塞側の端部には、エンドカバー３ｂが配置されている。そして、エンドカバー３ｂに第４の軸受２１が取付けられている。モータケース３内には、アーマチュア６が第１，第２のマグネット４，５に非接触で第１，第２，第４の軸受１８，１９，２１によって回転可能に支持されている。
【００１９】
アーマチュア６には、アーマチュア軸１３上にアーマチュアコア１４、コンミュテータ１５、センサマグネット２２がそれぞれ固定されており、アーマチュアコア１４に巻回されていてコンミュテータ１５に電気的に接続されたアーマチュアコイル１６が備えられている。ギヤケース２のアーマチュア軸収容部２ｂ内に配置されたアーマチュア軸１３の一端寄りには、減速機構３０を構成するウォーム１３ａが形成されている。ウォーム１３ａは、同じく減速機構３０を構成するホイールギヤ１１の歯車部１１ａに噛合されている。
【００２０】
第１，第２のブラシホルダ９，１０には、第１，第２の固定片９ａ，１０ａ、第１，第２のブラシ収容部９ｂ，１０ｂ、第３，第４の固定片９ｃ，１０ｃがそれぞれ一体に形成されている。第１，第２の固定片９ａ，１０ａは板形にされており、第１のブラシホルダ９の第１の固定片９ａは、図１０、図１１、図１２、図１３に示されるように、図１４、図１５、図１６、図１７に示される第２のブラシホルダ１０の第２の固定片１０ａよりも長い長さ寸法をもつ。第１の固定片９ａは、ギヤケース２のブラシホルダ装着部２ｃにおいて第１の固定部２ｃ３に形成された切欠２ｃ７内に嵌入れられることによって、第１のブラシホルダ９をギヤケース２に固定するのに用いられる。第２の固定片１０ａは、ギヤケース２のブラシホルダ装着部２ｃにおいて第２の固定部２ｃ４に形成された切欠２ｃ８内に嵌入れられることによって、第２のブラシホルダ１０をギヤケース２に固定するのに用いられる。第１，第２の固定片９ａ，１０ａの端部には、Ｌ字形に折り曲げられた接続端子部９ａ１，１０ａ１が形成されている。接続端子部９ａ１，１０ａ１は、回路基板上の制御回路にそれぞれ電気的に接続されている。第３，第４の固定片９ｃ，１０ｃは、ギヤケース２の第１，第２のブラシホルダ挿入孔２ｃ１，２ｃ２の外側に嵌め付けられる。
【００２１】
第１，第２のブラシ収容部９ｂ，１０ｂ内には、第１，第２のブラシばね２３，２４を介して第１，第２のブラシ７，８がそれぞれ収容されている。第１，第２のブラシ収容部９ｂ，１０ｂ内に収容された第１，第２のブラシ７，８は、第１，第２のブラシ収容部９ｂ，１０ｂの筒方向であるコンミュテータ１５の径方向に移動可能に支持される。また、第１，第２のブラシ収容部９ｂ，１０ｂの底部には、スリット９ｂ２，９ｂ２、１０ｂ２，１０ｂ２を介して第１，第２のブラシ掛止用舌片９ｂ１，１０ｂ１がそれぞれ形成されている。第１，第２のブラシ掛止用舌片９ｂ１，１０ｂ１の上面には、第１，第２の突起９ｂ３，１０ｂ３が形成されている。第１，第２のブラシ掛止用舌片９ｂ１，１０ｂ１は、図１１，図１５に示されるように、第１，第２のブラシ収容部９ｂ，１０ｂのブラシの挿入側を基端部として先端部が第１，第２のブラシ収容部９ｂ，１０ｂの内側及び外側に弾性変形可能に配置されている。また、第１，第２のブラシ掛止用舌片９ｂ１，１０ｂ１の先端部には、第１，第２のブラシ収容部９ｂ，１０ｂからわずかに突出した位置に第１，第２の押圧端部９ｂ４，１０ｂ４が形成されている。第１，第２のブラシ掛止用舌片９ｂ１，１０ｂ１は、第１，第２のブラシ７，８が第１，第２のブラシ収容部９ｂ，１０ｂ内に、その入り口から挿入された際に、図７に示されるように、第１，第２のブラシ７，８に形成された掛止孔７ｆ，８ｆに第１，第２の突起９ｂ３，１０ｂ３がそれぞれ掛止されることによって、第１，第２のブラシ収容部９ｂ，１０ｂから飛び出さないように第１，第２のブラシ７，８を保持する。これは、第１，第２のブラシ７，８の間にコンミュテータ１５を配置するのに用いる仮保持である。このとき、第１，第２のブラシ７，８の間には、コンミュテータ１５の外径寸法よりも大きい間隙ができる。そして、第１，第２のブラシ７，８の間隙内にコンミュテータ１５が配置されると、図８に示されるように、ブラシ解除用治具５０の突部５０ａ，５０ｂがギヤケース２の第１，第２の溝２ｃ９，２ｃ１０にそれぞれ挿入され、突部５０ａ，５０ｂによって第１，第２のブラシ掛止用舌片９ｂ１，１０ｂ１の先端部が押圧され、第１，第２のブラシ掛止用舌片９ｂ１，１０ｂ１の第１，第２の突起９ｂ３，１０ｂ３が第１，第２のブラシ７，８の掛止孔７ｆ，８ｆから外れる。よって、第１，第２のブラシ７，８は、第１，第２のブラシばね２３，２４の弾性反発力によりコンミュテータ１５に対し電気的に接続可能にして押し付けられる。
【００２２】
第１，第２のブラシ７，８には、ブラシ本体７ａ，８ａに第１，第２のピグテイル７ｂ，８ｂの一端部がそれぞれ電気的に接続されている。第１，第２のピグテイル７ｂ，８ｂの他端部は第１，第２のブラシホルダ９，１０の第１，第２のブラシ収容部９ｂ，１０ｂにそれぞれ電気的に接続されている。ブラシ本体７ａ，８ａには、図７に示されるように、コンミュテータ１５に押し付けられる摺接部７ｃ，８ｃの両脇に一対のテーパ面７ｄ，７ｅ、８ｄ，８ｅが形成されている。ブラシ本体７ａ，８ａの裏側には、掛止孔７ｆ，８ｆがそれぞれ形成されている。
【００２３】
このような構造をもつ小型モータ１は、ギヤケース２が車両のルーフインナーパネルに固定され、ホイールギヤ１１の出力軸１２がサンルーフ駆動装置に連結され、ギヤケース２のコネクタ収容部２ｅにサンルーフ駆動回路のコネクタが装着されて車体に搭載される。サンルーフリッドが閉っているときに、サンルーフ駆動回路に備えられたスイッチが開側にオンされると、アーマチュア軸１３、ホイールギヤ１１が正回転するため、出力軸１２を介してサンルーフ駆動装置によりサンルーフリッドが開く。これに反して、サンルーフリッドが開いているときに、サンルーフ駆動回路のスイッチが閉側にオンされると、アーマチュア軸１３、ホイールギヤ１１が逆回転するため、出力軸１２を介してサンルーフリッドが閉る。
【００２４】
上述したように、第１，第２のブラシ７，８を保持している第１，第２のブラシホルダ９，１０は、従来のホルダベースを介さずに、ギヤケース２のブラシホルダ装着部２ｃに直接取付けられている。それ故、従来のもののようなホルダベースが不要になる。
【００２５】
【発明の効果】
以上説明してきたように、この発明に係る小型モータによれば、ブラシを保持しているブラシホルダはギヤケースに直接取付けられている。それ故、従来のもののようなホルダベースが不要になるから、ホルダベースを別に作成する工程が不要になり、部品点数が増大しない。よって、作成に必要な工数の減少が図れるとともに部品点数の削減が図れるという優れた効果を奏する。
【図面の簡単な説明】
【図１】この発明に係る小型モータの一実施例においてギヤケースの内部構造を説明する平面図である。
【図２】図１に示した小型モータの外観斜視図である。
【図３】図１に示した小型モータにおいてのブラシホルダの取付関係を説明する外観斜視図である。
【図４】図１に示した小型モータの横断面図である。
【図５】図４に示した小型モータにおいてのブラシまわりの拡大図である。
【図６】図１に示した小型モータにおいてのホイールギヤまわりの縦断面図である。
【図７】図１に示した小型モータにおいてのコンミュテータを配置する際のブラシの位置を説明する縦断面図である。
【図８】図１に示した小型モータにおいてのコンミュテータを配置する際のブラシの位置を説明する縦断面図である。
【図９】図１に示した小型モータにおいてのブラシの単体外観斜視図である。
【図１０】図１に示した小型モータにおいての第１のブラシホルダの斜め上方から見た単体外観斜視図である。
【図１１】図１に示した小型モータにおいての第１のブラシホルダの斜め下方から見た単体外観斜視図である。
【図１２】図１に示した小型モータにおいての第１のブラシを保持した第１のブラシホルダの斜め上方から見た単体外観斜視図である。
【図１３】図１に示した小型モータにおいての第１のブラシを保持した第１のブラシホルダの斜め下方から見た単体外観斜視図である。
【図１４】図１に示した小型モータにおいての第２のブラシホルダの斜め上方から見た単体外観斜視図である。
【図１５】図１に示した小型モータにおいての第２のブラシホルダの斜め下方から見た単体外観斜視図である。
【図１６】図１に示した小型モータにおいての第２のブラシを保持した第２のブラシホルダの斜め上方から見た単体外観斜視図である。
【図１７】図１に示した小型モータにおいての第２のブラシを保持した第２のブラシホルダの斜め下方から見た単体外観斜視図である。
【符号の説明】
１      小型モータ
２      ギヤケース
２ｂ    アーマチュア軸収容部
２ｃ    ブラシホルダ装着部
２ｅ    コネクタ収容部
２ｆ    減速機構収容部
３      モータケース
６      アーマチュア
７      （ブラシ）第１のブラシ
８      （ブラシ）第２のブラシ
９      （ブラシホルダ）第１のブラシホルダ
９ａ    （ギヤケース固定部）第１の固定片
９ｂ    （ブラシボックス部）第１のブラシ収容部
１０    （ブラシホルダ）第２のブラシホルダ
１０ａ  （ギヤケース固定部）第２の固定片
１０ｂ  （ブラシボックス部）第２のブラシ収容部
１２    出力軸
１３    アーマチュア軸
１５    コンミュテータ
３０    減速機構
【図１】
0004015806.tif 000002
【図２】
0004015806.tif 000003
【図３】
0004015806.tif 000004
【図４】
0004015806.tif 000005
【図５】
0004015806.tif 000006
【図６】
0004015806.tif 000007
【図７】
0004015806.tif 000008
【図８】
0004015806.tif 000009
【図９】
0004015806.tif 000010
【図１０】
0004015806.tif 000011
【図１１】
0004015806.tif 000012
【図１２】
0004015806.tif 000013
【図１３】
0004015806.tif 000014
【図１４】
0004015806.tif 000015
【図１５】
0004015806.tif 000016
【図１６】
0004015806.tif 000017
【図１７】
0004015806.tif 000018